(57)【要約】  本発明はスケジューリング要求の構成方法、ネットワーク装置、端末装置及びコンピュータ記憶媒体を開示し、方法は、端末装置に、少なくとも１つの搬送波内の各々の搬送波にそれぞれ対応するスケジューリング要求の構成パラメータを構成し、同一搬送波に少なくとも１つのスケジューリング要求の構成パラメータが構成されることと、端末装置に、少なくとも１つのロジックチャネル内の個々ロジックチャネルと少なくとも１つのスケジューリング要求の構成パラメータとの間のマッピング関係を構成することと、を含む。
2020537374.tif 000002
【特許請求の範囲】
【請求項１】
ネットワーク装置に適用されるスケジューリング要求の構成方法であって、
端末装置に、少なくとも１つの搬送波内の各々の搬送波にそれぞれ対応するスケジューリング要求の構成パラメータを構成し、同一搬送波に少なくとも１つのスケジューリング要求の構成パラメータが構成されること、
端末装置に、少なくとも１つのロジックチャネル内の個々ロジックチャネルと少なくとも１つのスケジューリング要求の構成パラメータとの間のマッピング関係を構成することと、を含む前記スケジューリング要求の構成方法。
【請求項２】
前記した端末装置に、少なくとも１つの搬送波内の各々の搬送波にそれぞれ対応するスケジューリング要求の構成パラメータを構成することは更に、
異なる搬送波に、異なるスケジューリング要求の構成パラメータを構成し、且つ異なる搬送波に、同一のスケジューリング要求構成周期の異なるスケジューリング要求の構成パラメータを構成することを含むことを特徴とする
請求項１に記載の方法。
【請求項３】
前記した端末装置に、少なくとも１つのロジックチャネル内の個々ロジックチャネルと少なくとも１つのスケジューリング要求の構成パラメータとの間のマッピング関係を構成することはさらに、
各々のロジックチャネルに対して、異なる搬送波に対応するスケジューリング要求の構成パラメータを選択することと、
各々の前記ロジックチャネルと、選択された前記異なる搬送波に対応するスケジューリング要求の構成パラメータとの間のマッピング関係を作成することと、を含むことを特徴とする
請求項２に記載の方法。
【請求項４】
前記した各々のロジックチャネルに対して、異なる搬送波に対応するスケジューリング要求の構成パラメータを選択することは、
前記各々のロジックチャネルに対して、異なる搬送波のうちの、同一のスケジューリング要求構成周期を有するスケジューリング要求の構成パラメータを選択することを含むことを特徴とする
請求項３に記載の方法。
【請求項５】
前記した端末装置に、少なくとも１つの搬送波内の各々の搬送波にそれぞれ対応するスケジューリング要求の構成パラメータを構成することはさらに、
少なくとも１つの搬送波内の異なる搬送波に、同一のスケジューリング要求の構成パラメータを構成することを含むことを特徴とする
請求項１に記載の方法。
【請求項６】
前記した端末装置に、少なくとも１つのロジックチャネル内の個々ロジックチャネルと少なくとも１つのスケジューリング要求の構成パラメータとの間のマッピング関係を構成することはさらに、
各々のロジックチャネルに対して、１つのスケジューリング要求の構成パラメータをマッピングし、前記スケジューリング要求の構成パラメータに少なくとも１つの搬送波に対する物理上り制御チャンネルリソースが含まれることを含むことを特徴とする
請求項５に記載の方法。
【請求項７】
端末装置に適用されるスケジューリング要求の構成方法であって、
ネットワーク側により構成され少なくとも１つの搬送波内の各々の搬送波にそれぞれ対応するスケジューリング要求の構成パラメータを受信し、同一搬送波に少なくとも１つのスケジューリング要求の構成パラメータが構成されることと、
ネットワーク側により構成された少なくとも１つのロジックチャネル内の個々ロジックチャネルと少なくとも１つのスケジューリング要求の構成パラメータとの間のマッピング関係を受信することと、を含む前記スケジューリング要求の構成方法。
【請求項８】
前記方法はさらに、
端末装置がスケジューリング要求の報告を行う時、スケジューリング要求の報告をトリガーするロジックチャネルを取得することと、
前記ロジックチャネルに対応する少なくとも１つのスケジューリング要求の構成パラメータを取得することと、
前記少なくとも１つのスケジューリング要求の構成パラメータに対応する物理上り制御チャンネルリソースに基づき、スケジューリング要求の報告をトリガーする時点に最も近い物理上り制御チャンネルリソースを選択し、選択された前記物理上り制御チャンネルリソースにおいて前記スケジューリング要求を伝送することと、含むことを特徴とする
請求項７に記載の方法。
【請求項９】
前記したネットワーク側により構成され少なくとも１つの搬送波内の各々の搬送波にそれぞれ対応するスケジューリング要求の構成パラメータを受信することはさらに、
異なる搬送波に対してネットワーク側により構成された、異なるスケジューリング要求の構成パラメータであって、異なる搬送波に対して構成された、同一のスケジューリング要求構成周期を有する異なるスケジューリング要求の構成パラメータを受信することを含むことを特徴とする
請求項７または８に記載の方法。
【請求項１０】
前記したネットワーク側により構成された少なくとも１つのロジックチャネル内の個々ロジックチャネルと少なくとも１つのスケジューリング要求の構成パラメータとの間のマッピング関係を受信することはさらに、
ネットワーク側により構成された、各々の前記ロジックチャネルと、異なる搬送波に対応するスケジューリング要求の構成パラメータとの間のマッピング関係を受信することを含み、
各々のロジックチャネル及び異なる搬送波が、同一のスケジューリング要求構成周期を有するスケジューリング要求の構成パラメータがマッピング関係を有することを特徴とする
請求項９に記載の方法。
【請求項１１】
前記したネットワーク側により構成され少なくとも１つの搬送波内の各々の搬送波にそれぞれ対応するスケジューリング要求の構成パラメータを受信することはさらに、
少なくとも１つの搬送波内の異なる搬送波に対してネットワーク側により構成された同一のスケジューリング要求の構成パラメータを受信することを含むことを特徴とする
請求項７または８に記載の方法。
【請求項１２】
前記したネットワーク側により構成された少なくとも１つのロジックチャネル内の個々ロジックチャネルと少なくとも１つのスケジューリング要求の構成パラメータとの間のマッピング関係を受信することはさらに、
各々のロジックチャネルに対してネットワーク側により構成された１つのスケジューリング要求の構成パラメータを受信し、前記スケジューリング要求の構成パラメータが、少なくとも１つの搬送波に対する物理上り制御チャンネルリソースが含むことを含むことを特徴とする
請求項１１に記載の方法。
【請求項１３】
ネットワーク装置であって、
端末装置に、少なくとも１つの搬送波内の各々の搬送波にそれぞれ対応するスケジューリング要求の構成パラメータを構成することに用いられ、同一搬送波に少なくとも１つのスケジューリング要求の構成パラメータが構成される第一構成ユニットと、
端末装置に、少なくとも１つのロジックチャネル内の個々ロジックチャネルと少なくとも１つのスケジューリング要求の構成パラメータとの間のマッピング関係を構成するための第二構成ユニットと、を含む前記ネットワーク装置。
【請求項１４】
前記第一構成ユニットは、異なる搬送波に、異なるスケジューリング要求の構成パラメータを構成し、且つ異なる搬送波に、同一のスケジューリング要求構成周期の異なるスケジューリング要求の構成パラメータを構成するように構成されることを特徴とする
請求項１３に記載のネットワーク装置。
【請求項１５】
前記第二構成ユニットは、各々のロジックチャネルに対して、異なる搬送波に対応するスケジューリング要求の構成パラメータを選択し、各々の前記ロジックチャネルと、選択された前記異なる搬送波に対応するスケジューリング要求の構成パラメータとの間のマッピング関係を作成するように構成されることを特徴とする
請求項１４に記載のネットワーク装置。
【請求項１６】
前記第二構成ユニットは、前記各々のロジックチャネルに対して、異なる搬送波のうちの、同一のスケジューリング要求構成周期を有するスケジューリング要求の構成パラメータを選択するように構成されることを特徴とする
請求項１５に記載のネットワーク装置。
【請求項１７】
前記第一構成ユニットは、少なくとも１つの搬送波内の異なる搬送波に、同一のスケジューリング要求の構成パラメータを構成するように構成されることを特徴とする
請求項１３に記載のネットワーク装置。
【請求項１８】
前記第二構成ユニットは、各々のロジックチャネルに対して、１つのスケジューリング要求の構成パラメータをマッピングするように構成され、前記スケジューリング要求の構成パラメータに少なくとも１つの搬送波に対する物理上り制御チャンネルリソースが含まれることを特徴とする
請求項１７に記載のネットワーク装置。
【請求項１９】
端末装置であって、
ネットワーク側により構成され少なくとも１つの搬送波内の各々の搬送波にそれぞれ対応するスケジューリング要求の構成パラメータを受信することに用いられ、同一搬送波に少なくとも１つのスケジューリング要求の構成パラメータが構成される第一処理ユニットと、
ネットワーク側により構成された少なくとも１つのロジックチャネル内の個々ロジックチャネルと少なくとも１つのスケジューリング要求の構成パラメータとの間のマッピング関係を受信するための第二処理ユニットと、を含む前記端末装置。
【請求項２０】
前記端末装置はさらに、
スケジューリング要求の報告を行う時、スケジューリング要求の報告をトリガーするロジックチャネルを取得し、前記ロジックチャネルに対応する少なくとも１つのスケジューリング要求の構成パラメータを取得し、前記少なくとも１つのスケジューリング要求の構成パラメータに対応する物理上り制御チャンネルリソースに基づき、スケジューリング要求の報告をトリガーする時点に最も近い物理上り制御チャンネルリソースを選択し、選択された前記物理上り制御チャンネルリソースにおいて前記スケジューリング要求を伝送するための伝送ユニットを含むことを特徴とする
請求項１９に記載の端末装置。
【請求項２１】
前記第一処理ユニットは、異なる搬送波の構成に対して、ネットワーク側により構成された異なるスケジューリング要求の構成パラメータであって、異なる搬送波に対して構成された、同一のスケジューリング要求構成周期を有する異なるスケジューリング要求の構成パラメータを受信するように構成されることを特徴とする
請求項１９または２０に記載の端末装置。
【請求項２２】
前記第二処理ユニットは、ネットワーク側により構成された、各々の前記ロジックチャネルと、異なる搬送波に対応するスケジューリング要求の構成パラメータとの間のマッピング関係を受信するように構成され、
各々のロジックチャネル及び異なる搬送波が、同一のスケジューリング要求構成周期を有するスケジューリング要求の構成パラメータがマッピング関係を有することを特徴とする
請求項２１に記載の端末装置。
【請求項２３】
前記第一処理ユニットは、少なくとも１つの搬送波内の異なる搬送波に対してネットワーク側により構成された同一のスケジューリング要求の構成パラメータを受信するように構成されることを特徴とする
請求項１９または２０に記載の端末装置。
【請求項２４】
前記第二処理ユニットは、各々のロジックチャネルに対してネットワーク側により構成された１つのスケジューリング要求の構成パラメータを受信するように構成され、前記スケジューリング要求の構成パラメータが、少なくとも１つの搬送波に対する物理上り制御チャンネルリソースが含むことを特徴とする
請求項２３に記載の端末装置。
【請求項２５】
ネットワーク装置であって、
プロセッサ及びプロセッサにおいて実行できるコンピュータプログラムを記憶するための記憶装置を含み、
前記プロセッサが、前記コンピュータプログラムを実行する時、請求項１−６のいずれか一項に記載の前記方法のステップを実行するように構成される前記ネットワーク装置。
【請求項２６】
端末装置であって、
プロセッサ及びプロセッサにおいて実行できるコンピュータプログラムを記憶するための記憶装置を含み、
前記プロセッサが、前記コンピュータプログラムを実行する時、請求項７−１２のいずれか一項に記載の前記方法のステップを実行するように構成される前記端末装置。
【請求項２７】
コンピュータ記憶媒体であって、
前記コンピュータ記憶媒体に、実行される時に請求項１−１２のいずれか一項に記載の方法ステップを実現するコンピュータ実行可能な命令が記憶される前記コンピュータ記憶媒体。
【発明の詳細な説明】
【技術分野】
【０００１】
本発明は情報処理技術分野に関し、特にスケジューリング要求の構成方法、ネットワーク装置、端末装置及びコンピュータ記憶媒体に関する。
【背景技術】
【０００２】
ＬＴＥにおけるスケジューリング要求（ＳＲ：ｓｃｈｅｄｕｌｉｎｇ  ｒｅｑｕｅｓｔ）は、端末が上りのグランドリソースを要求するためのＰＵＣＣＨにおいて伝送される１ｂｉｔのメッセージである。ＬＴＥおいて、１つの端末に対応するＭＡＣエンティティに１つの又は複数のＳＲ  ｃｏｎｆｉｇｕｒａｔｉｏｎを構成することができる。複数のＳＲ  ｃｏｎｆｉｇｕｒａｔｉｏｎの構成は、キャリアアグリゲーションＣＡの場合では、セカンダリセルＳＣｅｌｌが対応するＳＲ  ｃｏｎｆｉｇｕｒａｔｉｏｎを有しても良いことである。ＮＲ検討において、１つの端末装置のＭＡＣエンティティに複数のＳＲ  ｃｏｎｆｉｇｕｒａｔｉｏｎに構成しても良いことが既に合意されており、この場合では、下記のような解決する必要がある問題があり、即ち、マルチキャリアユーザー装置がスケジューリング要求を行う時、マッピング関係の失効に起因する、端末装置がＳＲを正確に送信することができないことが発生しないように確保することである。
【発明の概要】
【発明が解決しようとする課題】
【０００３】
上記技術的問題を解決するために、本発明の実施例はスケジューリング要求の構成方法、ネットワーク装置、端末装置及びコンピュータ記憶媒体を提供する。
【課題を解決するための手段】
【０００４】
本発明の実施例に係るネットワーク装置に適用されるスケジューリング要求の構成方法であって、
端末装置に、少なくとも１つの搬送波内の各々の搬送波にそれぞれ対応するスケジューリング要求の構成パラメータを構成し、同一搬送波に少なくとも１つのスケジューリング要求の構成パラメータが構成されることと、
端末装置に、少なくとも１つのロジックチャネル内の個々ロジックチャネルと少なくとも１つのスケジューリング要求の構成パラメータとの間のマッピング関係を構成することと、を含む。
【０００５】
本発明の実施例に係る端末装置に適用されるスケジューリング要求の構成方法であって、
ネットワーク側により構成され少なくとも１つの搬送波内の各々の搬送波にそれぞれ対応するスケジューリング要求の構成パラメータを受信し、同一搬送波に少なくとも１つのスケジューリング要求の構成パラメータが構成されることと、
ネットワーク側により構成された少なくとも１つのロジックチャネル内の個々ロジックチャネルと少なくとも１つのスケジューリング要求の構成パラメータとの間のマッピング関係を受信することと、を含む。
【０００６】
本発明の実施例に係るネットワーク装置であって、
端末装置に、少なくとも１つの搬送波内の各々の搬送波にそれぞれ対応するスケジューリング要求の構成パラメータを構成することに用いられ、同一搬送波に少なくとも１つのスケジューリング要求の構成パラメータが構成される第一構成ユニットと、
端末装置に、少なくとも１つのロジックチャネル内の個々ロジックチャネルと少なくとも１つのスケジューリング要求の構成パラメータとの間のマッピング関係を構成するための第二構成ユニットと、を含む。
【０００７】
本発明の実施例に係る端末装置であって、
ネットワーク側により構成され少なくとも１つの搬送波内の各々の搬送波にそれぞれ対応するスケジューリング要求の構成パラメータを受信することに用いられ、同一搬送波に少なくとも１つのスケジューリング要求の構成パラメータが構成される第一処理ユニットと、
ネットワーク側により構成された少なくとも１つのロジックチャネル内の個々ロジックチャネルと少なくとも１つのスケジューリング要求の構成パラメータとの間のマッピング関係を受信するための第二処理ユニットと、を含む。
【０００８】
本発明の実施例に係るネットワーク装置であって、プロセッサ及びプロセッサにおいて実行できるコンピュータプログラムを記憶するための記憶装置を含み、
前記プロセッサが、前記コンピュータプログラムを実行する時、上記方法のステップを実行するように構成される。
【０００９】
本発明の実施例に係る端末装置であって、プロセッサ及びプロセッサにおいて実行できるコンピュータプログラムを記憶するための記憶装置を含み、
前記プロセッサが、前記コンピュータプログラムを実行する時、上記方法のステップを実行するように構成される。
【００１０】
本発明の実施例に係るコンピュータ記憶媒体に、実行される時に上記方法のステップを実行するコンピュータ実行可能な命令が記憶される。
【発明の効果】
【００１１】
本発明の実施例の技術案は、ネットワークが端末装置のために構成した異なる搬送波に対応するスケジューリング要求の構成パラメータ、及びスケジューリング要求の構成パラメータとロジックチャネルとの間にマッピング関係を受信することができる。すると、端末装置がロジックチャネル、搬送波及びスケジューリング要求の構成パラメータの間の対応関係を取得することを保証することができ、それにより、スケジューリング要求を行う時に、対応するリソースをタイムリーに確定することを保証することができ、それによりシステムの処理効率を高める。
【図面の簡単な説明】
【００１２】
【図１】図１は本発明の実施例に係るスケジューリング要求の構成方法フロー模式図１である。
【図２】図２は本発明の実施例に係るスケジューリング要求の構成方法フロー模式図２である。
【図３】図３は本発明の実施例のネットワーク装置構成の構造模式図である。
【図４】図４は本発明の実施例の端末装置構成の構造模式図である。
【図５】図５は本発明の実施例のハードウェアアーキテクチャ模式図である。
【発明を実施するための形態】
【００１３】
本発明の実施例の特徴及び技術内容をより詳しく理解することができるように、下記において図面を参照しながら本発明の実施例の実現を詳細に説明し、添付図面が参照し及び説明するためのものに過ぎず、本発明の実施例を限定することを意図するものではない。
【００１４】
実施例１、
図１に示すように、本発明の実施例に係るネットワーク装置に適用されるスケジューリング要求の構成方法であって、
端末装置に、少なくとも１つの搬送波内の各々の搬送波にそれぞれ対応するスケジューリング要求の構成パラメータを構成し、同一搬送波に少なくとも１つのスケジューリング要求の構成パラメータが構成されるステップ１０１と、
端末装置に、少なくとも１つのロジックチャネル内の個々ロジックチャネルと少なくとも１つのスケジューリング要求の構成パラメータとの間のマッピング関係を構成するステップ１０２と、を含む。
【００１５】
本実施例は特にキャリアアグリゲーション（ＣＡ）シーンに適用でき、複数の搬送波がある場合、同一端末装置に複数の搬送波を構成することができる。
【００１６】
端末がＣａｒｒｉｅｒ１及びＣａｒｒｉｅｒ２の２つの搬送波を束ねるとした場合、Ｃａｒｒｉｅｒ１をプライマリセルＰＣｅｌｌとし、Ｃａｒｒｉｅｒ２をセカンダリセルＳＣｅｌｌとすることができる。
【００１７】
また、本実施例に係る端末装置は、複数のロジックチャネルをサポートする端末装置であってもよく、例えば、１つの端末が、４つのロジックチャネルをサポートすることができ、それぞれが｛ＬＣＨ１、ＬＣＨ２、ＬＣＨ３、ＬＣＨ４｝とすることができる。
【００１８】
下記において、ネットワーク側が端末に少なくとも１つのスケジューリング要求の構成パラメータ（ＳＲ  ｃｏｎｆｉｇｕｒａｔｉｏｎ）を構成する２つの方式をそれぞれ説明する。
【００１９】
方式１
前記した端末装置に、少なくとも１つの搬送波内の各々の搬送波にそれぞれ対応するスケジューリング要求の構成パラメータを構成することはさらに、異なる搬送波に、異なるスケジューリング要求の構成パラメータを構成し、且つ異なる搬送波に、同一のスケジューリング要求構成周期の異なるスケジューリング要求の構成パラメータを構成することを含む。
【００２０】
即ち、異なる搬送波に対して異なるＳＲ  ｃｏｎｆｉｇｕｒａｔｉｏｎをそれぞれ構成する。同じく２つの搬送波のシーンを例として説明する。例えば、Ｃａｒｒｉｅｒ１は、対応する２つのＳＲ  ｃｏｎｆｉｇｕｒａｔｉｏｎがＳＲ−ＣＯＮＦＩＧ−１−Ａ、ＳＲ−ＣＯＮＦＩＧ−１−Ｂであり、Ｃａｒｒｉｅｒ２は、対応する２つのＳＲ  ｃｏｎｆｉｇｕｒａｔｉｏｎがＳＲ−ＣＯＮＦＩＧ−２−Ａ、ＳＲ−ＣＯＮＦＩＧ−２−Ｂであり、ＳＲ−ＣＯＮＦＩＧ−１−Ａ及びＳＲ−ＣＯＮＦＩＧ−２−Ａが同一のＳＲ構成周期を有し、同様に、ＳＲ−ＣＯＮＦＩＧ−１−Ｂ及びＳＲ−ＣＯＮＦＩＧ−２−Ｂが同一のＳＲ構成周期を有するとする。表１が下記の通りである。
【表１】
2020537374.tif 000003
【００２１】
それに応じて、このように方式では、ロジックチャネルとスケジューリング要求の構成パラメータとの間のマッピング関係を構成する方法は、
各々のロジックチャネルに対して、異なる搬送波に対応するスケジューリング要求の構成パラメータを選択することと、
各々の前記ロジックチャネルと、選択された前記異なる搬送波に対応するスケジューリング要求の構成パラメータとの間のマッピング関係を作成することと、を含む。
【００２２】
具体的には、前記各々のロジックチャネルに対して、異なる搬送波のうちの、同一のスケジューリング要求構成周期を有するスケジューリング要求の構成パラメータを選択する。
【００２３】
すなわち、ロジックチャネルのマッピングを行う時、同一の構成周期を有る１つまたは複数の搬送波に対応するＳＲ  Ｃｏｎｆｉｇｕｒａｔｉｏｎを同一ロジックチャネルに構成する。
【００２４】
例で説明すると、ＳＲ  ｃｏｎｆｉｇｕｒａｔｉｏｎと搬送波とのマッピング方式１において、ネットワークが、各々のロジックチャネルに対して２つのＳＲ  ｃｏｎｆｉｇｕｒａｔｉｏｎをマッピングし、それぞれ異なる搬送波に対応し、表２が下記の通りである。
【表２】
2020537374.tif 000004
【００２５】
方式２
方式１と異なるところは、本方式では、比較的に多いスケジューリング要求の構成パラメータを構成せず、比較的に少ないスケジューリング要求の構成パラメータのみによって、異なる搬送波に対して構成を行い、複数のロジックチャネルとマッピングを行う。具体的な処理は以下の通りである。
【００２６】
前記した端末装置に、少なくとも１つの搬送波内の各々の搬送波にそれぞれ対応するスケジューリング要求の構成パラメータを構成することはさらに、
少なくとも１つの搬送波内の異なる搬送波に、同一のスケジューリング要求の構成パラメータを構成することを含む。
【００２７】
本シーンでは、各々のスケジューリング要求の構成パラメータに、異なる搬送波に対する少なくとも１つの物理上り制御チャンネルリソースが構成されても良い。且つ、異なるスケジューリング要求の構成パラメータが異なるＳＲ周期を有しても良い。
【００２８】
具体的には、異なる搬送波に、同一のＳＲ  ｃｏｎｆｉｇｕｒａｔｉｏｎをそれぞれ構成し、例えば、｛ＳＲ−ＣＯＮＦＩＧ−１、ＳＲ−ＣＯＮＦＩＧ−２｝という合計が２つのＳＲ  ｃｏｎｆｉｇｕｒａｔｉｏｎがある。
【００２９】
例えば、ＳＲ−ＣＯＮＦＩＧ−１に対応するＰＵＣＣＨリソースがそれぞれＣａｒｒｉｅｒ１及びＣａｒｒｉｅｒ２に位置し、ＳＲ−ＣＯＮＦＩＧ−２に対応するＰＵＣＣＨリソースがそれぞれＣａｒｒｉｅｒ１及びＣａｒｒｉｅｒ２に位置する。ＳＲ−ＣＯＮＦＩＧ−１及びＳＲ−ＣＯＮＦＩＧ−２が異なるＳＲ周期を有する。
【００３０】
それに応じて、
前記した端末装置に、少なくとも１つのロジックチャネル内の個々ロジックチャネルと少なくとも１つのスケジューリング要求の構成パラメータとの間のマッピング関係を構成することはさらに、
各々のロジックチャネルに対して、１つのスケジューリング要求の構成パラメータをマッピングし、前記スケジューリング要求の構成パラメータに少なくとも１つの搬送波に対する物理上り制御チャンネルリソースが含まれることを含む。
【００３１】
ネットワークがロジックチャネルとＳＲ  ｃｏｎｆｉｇｕｒａｔｉｏｎとのマッピングを構成し、上記の異なるＳＲ  ｃｏｎｆｉｇｕｒａｔｉｏｎと搬送波とのマッピング関係に基づき、それぞれ下記のようなロジックチャネルとＳＲ  ｃｏｎｆｉｇｕｒａｔｉｏｎとのマッピング関係を有しても良い。ネットワークが、各々のロジックチャネルに対して１つのＳＲ  ｃｏｎｆｉｇｕｒａｔｉｏｎをマッピングし、１つのＳＲ  ｃｏｎｆｉｇｕｒａｔｉｏｎが２つの搬送波のＰＵＣＣＨリソースを含み、表３が下記の通りである。
【表３】
2020537374.tif 000005
【００３２】
よって、上記の考案によって、ネットワークが端末装置のために構成した異なる搬送波に対応するスケジューリング要求の構成パラメータ、及びスケジューリング要求の構成パラメータとロジックチャネルとの間にマッピング関係を受信することができる。すると、端末装置がロジックチャネル、搬送波及びスケジューリング要求の構成パラメータの間の対応関係を取得することを保証することができ、それにより、スケジューリング要求を行う時に、対応するリソースをタイムリーに確定することを保証することができ、それによりシステムの処理効率を高める。
【００３３】
実施例２
図２に示されるように、本発明の実施例に係る端末装置に適用されるスケジューリング要求の構成方法であって、
ネットワーク側により構成され少なくとも１つの搬送波内の各々の搬送波にそれぞれ対応するスケジューリング要求の構成パラメータを受信し、同一搬送波に少なくとも１つのスケジューリング要求の構成パラメータが構成されるステップ２０１と、
ネットワーク側により構成された少なくとも１つのロジックチャネル内の個々ロジックチャネルと少なくとも１つのスケジューリング要求の構成パラメータとの間のマッピング関係を受信するステップ２０２と、を含む。
【００３４】
本実施例は特にキャリアアグリゲーション（ＣＡ）シーンに適用でき、複数の搬送波がある場合、同一端末装置に複数の搬送波を構成することができる。
【００３５】
端末がＣａｒｒｉｅｒ１及びＣａｒｒｉｅｒ２の２つの搬送波を束ねるとした場合、Ｃａｒｒｉｅｒ１をプライマリセルＰＣｅｌｌとし、Ｃａｒｒｉｅｒ２をセカンダリセルＳＣｅｌｌとすることができる。
【００３６】
また、本実施例に係る端末装置は、複数のロジックチャネルをサポートする端末装置であってもよく、例えば、１つの端末が、４つのロジックチャネルをサポートすることができ、それぞれが｛ＬＣＨ１、ＬＣＨ２、ＬＣＨ３、ＬＣＨ４｝とすることができる。
【００３７】
下記において、ネットワーク側が端末に少なくとも１つのスケジューリング要求の構成パラメータ（ＳＲ  ｃｏｎｆｉｇｕｒａｔｉｏｎ）を構成する２つの方式をそれぞれ説明する。
【００３８】
方式１
前記したネットワーク側により構成され少なくとも１つの搬送波内の各々の搬送波にそれぞれ対応するスケジューリング要求の構成パラメータを受信することはさらに、
異なる搬送波の構成に対して、ネットワーク側により構成された異なるスケジューリング要求の構成パラメータであって、異なる搬送波に対して構成された、同一のスケジューリング要求構成周期を有する異なるスケジューリング要求の構成パラメータを受信することを含む。
【００３９】
即ち、異なる搬送波に対して異なるＳＲ  ｃｏｎｆｉｇｕｒａｔｉｏｎをそれぞれ構成する。同じく２つの搬送波のシーンを例として説明する。例えば、Ｃａｒｒｉｅｒ１は、それの対応する２つのＳＲ  ｃｏｎｆｉｇｕｒａｔｉｏｎがＳＲ−ＣＯＮＦＩＧ−１−Ａ、ＳＲ−ＣＯＮＦＩＧ−１−Ｂであり、Ｃａｒｒｉｅｒ２は、対応する２つのＳＲ  ｃｏｎｆｉｇｕｒａｔｉｏｎがＳＲ−ＣＯＮＦＩＧ−２−Ａ、ＳＲ−ＣＯＮＦＩＧ−２−Ｂであり、ＳＲ−ＣＯＮＦＩＧ−１−Ａ及びＳＲ−ＣＯＮＦＩＧ−２−Ａが同一のＳＲ構成周期を有し、同様に、ＳＲ−ＣＯＮＦＩＧ−１−Ｂ及びＳＲ−ＣＯＮＦＩＧ−２−Ｂが同一のＳＲ構成周期を有するとする。表１が下記の通りである。
【表４】
2020537374.tif 000006
【００４０】
それに応じて、このように方式では、前記したネットワーク側により構成された少なくとも１つのロジックチャネル内の個々ロジックチャネルと少なくとも１つのスケジューリング要求の構成パラメータとの間のマッピング関係を受信することはさらに、
ネットワーク側により構成された、各々の前記ロジックチャネルと、異なる搬送波に対応するスケジューリング要求の構成パラメータとの間のマッピング関係を受信することを含み、
各々のロジックチャネル及び異なる搬送波が、同一のスケジューリング要求構成周期を有するスケジューリング要求の構成パラメータがマッピング関係を有する。
【００４１】
すなわち、ロジックチャネルのマッピングを行う時、同一の構成周期を有る１つまたは複数の搬送波に対応するＳＲ  Ｃｏｎｆｉｇｕｒａｔｉｏｎを同一ロジックチャネルに構成する。
【００４２】
例で説明すると、ＳＲ  ｃｏｎｆｉｇｕｒａｔｉｏｎと搬送波とのマッピング方式１において、ネットワークが、各々のロジックチャネルに対して２つのＳＲ  ｃｏｎｆｉｇｕｒａｔｉｏｎをマッピングし、それぞれ異なる搬送波に対応し、下記の表２が下記の通りである。
【表５】
2020537374.tif 000007
【００４３】
方式２
方式１と異なるところは、本方式では、比較的に多いスケジューリング要求の構成パラメータを構成せず、比較的に少ないスケジューリング要求の構成パラメータのみによって、異なる搬送波に対して構成を行い、複数のロジックチャネルとマッピングを行う。具体的な処理は以下の通りである。
【００４４】
前記したネットワーク側により構成され少なくとも１つの搬送波内の各々の搬送波にそれぞれ対応するスケジューリング要求の構成パラメータを受信することはさらに、
少なくとも１つの搬送波内の異なる搬送波に対してネットワーク側により構成された同一のスケジューリング要求の構成パラメータを受信することを含む。
【００４５】
本シーンでは、各々のスケジューリング要求の構成パラメータに、異なる搬送波に対する少なくとも１つの物理上り制御チャンネルリソースが構成されても良い。且つ、異なるスケジューリング要求の構成パラメータが異なるＳＲ周期を有しても良い。
【００４６】
具体的には、異なる搬送波に、同一のＳＲ  ｃｏｎｆｉｇｕｒａｔｉｏｎをそれぞれ構成し、例えば、｛ＳＲ−ＣＯＮＦＩＧ−１、ＳＲ−ＣＯＮＦＩＧ−２｝という合計が２つのＳＲ  ｃｏｎｆｉｇｕｒａｔｉｏｎがある。
【００４７】
例えば、ＳＲ−ＣＯＮＦＩＧ−１に対応するＰＵＣＣＨリソースがそれぞれＣａｒｒｉｅｒ１及びＣａｒｒｉｅｒ２に位置し、ＳＲ−ＣＯＮＦＩＧ−２に対応するＰＵＣＣＨリソースがそれぞれＣａｒｒｉｅｒ１及びＣａｒｒｉｅｒ２に位置する。ＳＲ−ＣＯＮＦＩＧ−１及びＳＲ−ＣＯＮＦＩＧ−２が異なるＳＲ周期を有する。
【００４８】
それに応じて、
前記したネットワーク側により構成された少なくとも１つのロジックチャネル内の個々ロジックチャネルと少なくとも１つのスケジューリング要求の構成パラメータとの間のマッピング関係を受信することはさらに、
各々のロジックチャネルに対してネットワーク側により構成された、一つのスケジューリング要求の構成パラメータを受信し、前記スケジューリング要求の構成パラメータが、少なくとも１つの搬送波に対する物理上り制御チャンネルリソースを含むことを含む。
【００４９】
ネットワークがロジックチャネルとＳＲ  ｃｏｎｆｉｇｕｒａｔｉｏｎとのマッピングを構成し、上記の異なるＳＲ  ｃｏｎｆｉｇｕｒａｔｉｏｎと搬送波とのマッピング関係に基づき、それぞれ下記のようなロジックチャネルとＳＲ  ｃｏｎｆｉｇｕｒａｔｉｏｎとのマッピング関係を有しても良い。ネットワークが、各々のロジックチャネルに対して１つのＳＲ  ｃｏｎｆｉｇｕｒａｔｉｏｎをマッピングし、１つのＳＲ  ｃｏｎｆｉｇｕｒａｔｉｏｎが２つの搬送波のＰＵＣＣＨリソースを含み、表３が下記の通りである。
【表６】
2020537374.tif 000008
【００５０】
上記の実施例に係るシーンでは、端末装置側において、さらにネットワーク側により構成された状況に基づき、スケジューリング要求（ＳＲ）の報告を行う。どの方式を用いるかにかかわらず、端末装置がＳＲの報告を行う時に以下の方式を用いて処理する。
【００５１】
端末装置がスケジューリング要求の報告を行う時、スケジューリング要求の報告をトリガーするロジックチャネルを取得し、
前記ロジックチャネルに対応する少なくとも１つのスケジューリング要求の構成パラメータを取得し、
前記少なくとも１つのスケジューリング要求の構成パラメータに対応する物理上り制御チャンネルリソースに基づき、スケジューリング要求の報告をトリガーする時点に最も近い物理上り制御チャンネルリソースを選択し、選択された前記物理上り制御チャンネルリソースにおいて前記スケジューリング要求を伝送する。
【００５２】
具体的には、
端末が、ＳＲの報告をトリガーするロジックチャネルに基づき、対応するＳＲ−ｃｏｎｆｉｇｕｒａｔｉｏｎを選択し、例えば、ＬＣＨ１がＳＲの報告をトリガーするとした場合、以下のように選択する。
【００５３】
方式１に対して、ＳＲ−ＣＯＮＦＩＧ−１−Ａ、ＳＲ−ＣＯＮＦＩＧ−２−Ａに対応するＳＲを選択して報告してもよく、
方式２に対して、ＳＲ−ＣＯＮＦＩＧ−１に対応するＳＲを選択して報告してもよい。
【００５４】
２つの方法に対して、いずれも、端末装置は現在ＳＲの報告をトリガーする時点に最も近いＰＵＣＣＨリソースを選択してＳＲを伝送する。
【００５５】
よって、上記の考案によって、ネットワークが端末装置のために構成した異なる搬送波に対応するスケジューリング要求の構成パラメータ、及びスケジューリング要求の構成パラメータとロジックチャネルとの間にマッピング関係を受信することができる。すると、端末装置がロジックチャネル、搬送波及びスケジューリング要求の構成パラメータの間の対応関係を取得することを保証することができ、それにより、スケジューリング要求を行う時に、対応するリソースをタイムリーに確定することを保証することができ、それによりシステムの処理効率を高める。
【００５６】
実施例３
図３に示すように、本発明の実施例に係るネットワーク装置であって、
端末装置に、少なくとも１つの搬送波内の各々の搬送波にそれぞれ対応するスケジューリング要求の構成パラメータを構成することに用いられ、同一搬送波に少なくとも１つのスケジューリング要求の構成パラメータが構成される第一構成ユニット３１と、
端末装置に、少なくとも１つのロジックチャネル内の個々ロジックチャネルと少なくとも１つのスケジューリング要求の構成パラメータとの間のマッピング関係を構成するための第二構成ユニット３２と、を含む。
【００５７】
本実施例は特にキャリアアグリゲーション（ＣＡ）シーンに適用でき、複数の搬送波がある場合、同一端末装置に複数の搬送波を構成することができる。
【００５８】
端末がＣａｒｒｉｅｒ１及びＣａｒｒｉｅｒ２の２つの搬送波を束ねるとした場合、Ｃａｒｒｉｅｒ１をプライマリセルＰＣｅｌｌとし、Ｃａｒｒｉｅｒ２をセカンダリセルＳＣｅｌｌとすることができる。
【００５９】
また、本実施例に係る端末装置は、複数のロジックチャネルをサポートする端末装置であってもよく、例えば、１つの端末が、４つのロジックチャネルをサポートすることができ、それぞれが｛ＬＣＨ１、ＬＣＨ２、ＬＣＨ３、ＬＣＨ４｝とすることができる。
【００６０】
下記において、ネットワーク側が端末に少なくとも１つのスケジューリング要求の構成パラメータ（ＳＲ  ｃｏｎｆｉｇｕｒａｔｉｏｎ）を構成する２つの方式をそれぞれ説明する。
【００６１】
方式１、
前記第一構成ユニットは、異なる搬送波に、異なるスケジューリング要求の構成パラメータを構成し、且つ異なる搬送波に、同一のスケジューリング要求構成周期の異なるスケジューリング要求の構成パラメータを構成するように構成される。
【００６２】
即ち、異なる搬送波に対して異なるＳＲ  ｃｏｎｆｉｇｕｒａｔｉｏｎをそれぞれ構成する。同じく２つの搬送波のシーンを例として説明する。例えば、Ｃａｒｒｉｅｒ１は、対応する２つのＳＲ  ｃｏｎｆｉｇｕｒａｔｉｏｎがＳＲ−ＣＯＮＦＩＧ−１−Ａ、ＳＲ−ＣＯＮＦＩＧ−１−Ｂであり、Ｃａｒｒｉｅｒ２は、対応する２つのＳＲ  ｃｏｎｆｉｇｕｒａｔｉｏｎがＳＲ−ＣＯＮＦＩＧ−２−Ａ、ＳＲ−ＣＯＮＦＩＧ−２−Ｂであり、ＳＲ−ＣＯＮＦＩＧ−１−Ａ及びＳＲ−ＣＯＮＦＩＧ−２−Ａが同一のＳＲ構成周期を有し、同様に、ＳＲ−ＣＯＮＦＩＧ−１−Ｂ及びＳＲ−ＣＯＮＦＩＧ−２−Ｂが同一のＳＲ構成周期を有するとする。表１が下記の通りである。
【表７】
2020537374.tif 000009
【００６３】
それに応じて、このように方式では、ロジックチャネルとスケジューリング要求の構成パラメータとの間のマッピング関係を構成する方法は、
前記第二構成ユニットは、各々のロジックチャネルに対して、異なる搬送波に対応するスケジューリング要求の構成パラメータを選択し、各々の前記ロジックチャネルと、選択された前記異なる搬送波に対応するスケジューリング要求の構成パラメータとの間のマッピング関係を作成するように構成されることと、
前記第二構成ユニットは、前記各々のロジックチャネルに対して、異なる搬送波のうちの、同一のスケジューリング要求構成周期を有するスケジューリング要求の構成パラメータを選択するように構成されることと、を含む。
【００６４】
すなわち、ロジックチャネルのマッピングを行う時、同一の構成周期を有る１つまたは複数の搬送波に対応するＳＲ  Ｃｏｎｆｉｇｕｒａｔｉｏｎを同一ロジックチャネルに構成する。
【００６５】
例で説明すると、ＳＲ  ｃｏｎｆｉｇｕｒａｔｉｏｎと搬送波とのマッピング方式１において、ネットワークが、各々のロジックチャネルに対して２つのＳＲ  ｃｏｎｆｉｇｕｒａｔｉｏｎをマッピングし、それぞれ異なる搬送波に対応し、下記の表２が下記の通りである。
【表８】
2020537374.tif 000010
【００６６】
方式２、方式１と異なるところは、本方式では、比較的に多いスケジューリング要求の構成パラメータを構成せず、比較的に少ないスケジューリング要求の構成パラメータのみによって、異なる搬送波に対して構成を行い、複数のロジックチャネルとマッピングを行う。具体的な処理は以下の通りである。
【００６７】
前記第一構成ユニットは、少なくとも１つの搬送波内の異なる搬送波に、同一のスケジューリング要求の構成パラメータを構成するように構成される。
【００６８】
本シーンでは、各々のスケジューリング要求の構成パラメータに、異なる搬送波に対する少なくとも１つの物理上り制御チャンネルリソースが構成されても良い。且つ、異なるスケジューリング要求の構成パラメータが異なるＳＲ周期を有しても良い。
【００６９】
具体的には、異なる搬送波に、同一のＳＲ  ｃｏｎｆｉｇｕｒａｔｉｏｎをそれぞれ構成し、例えば、｛ＳＲ−ＣＯＮＦＩＧ−１、ＳＲ−ＣＯＮＦＩＧ−２｝という合計が２つのＳＲ  ｃｏｎｆｉｇｕｒａｔｉｏｎがある。
【００７０】
例えば、ＳＲ−ＣＯＮＦＩＧ−１に対応するＰＵＣＣＨリソースがそれぞれＣａｒｒｉｅｒ１及びＣａｒｒｉｅｒ２に位置し、ＳＲ−ＣＯＮＦＩＧ−２に対応するＰＵＣＣＨリソースがそれぞれＣａｒｒｉｅｒ１及びＣａｒｒｉｅｒ２に位置する。ＳＲ−ＣＯＮＦＩＧ−１及びＳＲ−ＣＯＮＦＩＧ−２が異なるＳＲ周期を有する。
【００７１】
それに応じて、
前記第二構成ユニットは、各々のロジックチャネルに対して、１つのスケジューリング要求の構成パラメータをマッピングするように構成され、前記スケジューリング要求の構成パラメータに少なくとも１つの搬送波に対する物理上り制御チャンネルリソースが含まれる。
【００７２】
ネットワークがロジックチャネルとＳＲ  ｃｏｎｆｉｇｕｒａｔｉｏｎとのマッピングを構成し、上記の異なるＳＲ  ｃｏｎｆｉｇｕｒａｔｉｏｎと搬送波とのマッピング関係に基づき、それぞれ下記のようなロジックチャネルとＳＲ  ｃｏｎｆｉｇｕｒａｔｉｏｎとのマッピング関係を有しても良い。ネットワークが、各々のロジックチャネルに対して１つのＳＲ  ｃｏｎｆｉｇｕｒａｔｉｏｎをマッピングし、１つのＳＲ  ｃｏｎｆｉｇｕｒａｔｉｏｎが２つの搬送波のＰＵＣＣＨリソースを含み、表３が下記の通りである。
【表９】
2020537374.tif 000011
【００７３】
よって、上記の考案によって、ネットワークが端末装置のために構成した異なる搬送波に対応するスケジューリング要求の構成パラメータ、及びスケジューリング要求の構成パラメータとロジックチャネルとの間にマッピング関係を受信することができる。すると、端末装置がロジックチャネル、搬送波及びスケジューリング要求の構成パラメータの間の対応関係を取得することを保証することができ、それにより、スケジューリング要求を行う時に、対応するリソースをタイムリーに確定することを保証することができ、それによりシステムの処理効率を高める。
【００７４】
実施例４
図４に示すように、本発明の実施例に係る端末装置であって、
ネットワーク側により構成され少なくとも１つの搬送波内の各々の搬送波にそれぞれ対応するスケジューリング要求の構成パラメータを受信することに用いられ、同一搬送波に少なくとも１つのスケジューリング要求の構成パラメータが構成される第一処理ユニット４１と、
ネットワーク側により構成された少なくとも１つのロジックチャネル内の個々ロジックチャネルと少なくとも１つのスケジューリング要求の構成パラメータとの間のマッピング関係を受信するための第二処理ユニット４２と、を含む。
【００７５】
本実施例は特にキャリアアグリゲーション（ＣＡ）シーンに適用でき、複数の搬送波がある場合、同一端末装置に複数の搬送波を構成することができる。
【００７６】
端末がＣａｒｒｉｅｒ１及びＣａｒｒｉｅｒ２の２つの搬送波を束ねるとした場合、Ｃａｒｒｉｅｒ１をプライマリセルＰＣｅｌｌとし、Ｃａｒｒｉｅｒ２をセカンダリセルＳＣｅｌｌとすることができる。
【００７７】
また、本実施例に係る端末装置は、複数のロジックチャネルをサポートする端末装置であってもよく、例えば、１つの端末が、４つのロジックチャネルをサポートすることができ、それぞれが｛ＬＣＨ１、ＬＣＨ２、ＬＣＨ３、ＬＣＨ４｝とすることができる。
【００７８】
下記において、ネットワーク側が端末に少なくとも１つのスケジューリング要求の構成パラメータ（ＳＲ  ｃｏｎｆｉｇｕｒａｔｉｏｎ）を構成する２つの方式をそれぞれ説明する。
【００７９】
方式１
前記第一処理ユニットは、異なる搬送波の構成に対して、ネットワーク側により構成された異なるスケジューリング要求の構成パラメータであって、異なる搬送波に対して構成された、同一のスケジューリング要求構成周期を有する異なるスケジューリング要求の構成パラメータを受信するように構成される。
【００８０】
即ち、異なる搬送波に対して異なるＳＲ  ｃｏｎｆｉｇｕｒａｔｉｏｎをそれぞれ構成する。同じく２つの搬送波のシーンを例として説明する。例えば、Ｃａｒｒｉｅｒ１は、対応する２つのＳＲ  ｃｏｎｆｉｇｕｒａｔｉｏｎがＳＲ−ＣＯＮＦＩＧ−１−Ａ、ＳＲ−ＣＯＮＦＩＧ−１−Ｂであり、Ｃａｒｒｉｅｒ２は、対応する２つのＳＲ  ｃｏｎｆｉｇｕｒａｔｉｏｎがＳＲ−ＣＯＮＦＩＧ−２−Ａ、ＳＲ−ＣＯＮＦＩＧ−２−Ｂであり、ＳＲ−ＣＯＮＦＩＧ−１−Ａ及びＳＲ−ＣＯＮＦＩＧ−２−Ａが同一のＳＲ構成周期を有し、同様に、ＳＲ−ＣＯＮＦＩＧ−１−Ｂ及びＳＲ−ＣＯＮＦＩＧ−２−Ｂが同一のＳＲ構成周期を有するとする。表１が下記の通りである。
【表１０】
2020537374.tif 000012
【００８１】
それに応じて、このように方式では、前記第二処理ユニットは、ネットワーク側により構成された、各々の前記ロジックチャネルと、異なる搬送波に対応するスケジューリング要求の構成パラメータとの間のマッピング関係を受信するように構成され、
各々のロジックチャネル及び異なる搬送波が、同一のスケジューリング要求構成周期を有するスケジューリング要求の構成パラメータがマッピング関係を有する。
【００８２】
すなわち、ロジックチャネルのマッピングを行う時、同一の構成周期を有る１つまたは複数の搬送波に対応するＳＲ  Ｃｏｎｆｉｇｕｒａｔｉｏｎを同一ロジックチャネルに構成する。
【００８３】
例で説明すると、ＳＲ  ｃｏｎｆｉｇｕｒａｔｉｏｎと搬送波とのマッピング方式１において、ネットワークが、各々のロジックチャネルに対して２つのＳＲ  ｃｏｎｆｉｇｕｒａｔｉｏｎをマッピングし、それぞれ異なる搬送波に対応し、下記の表２が下記の通りである。
【表１１】
2020537374.tif 000013
【００８４】
方式２、方式１と異なるところは、本方式では、比較的に多いスケジューリング要求の構成パラメータを構成せず、比較的に少ないスケジューリング要求の構成パラメータのみによって、異なる搬送波に対して構成を行い、複数のロジックチャネルとマッピングを行う。具体的な処理は以下の通りである。
【００８５】
前記第一処理ユニットは、少なくとも１つの搬送波内の異なる搬送波に対してネットワーク側により構成された同一のスケジューリング要求の構成パラメータを受信するように構成される。
【００８６】
本シーンでは、各々のスケジューリング要求の構成パラメータに、異なる搬送波に対する少なくとも１つの物理上り制御チャンネルリソースが構成されても良い。且つ、異なるスケジューリング要求の構成パラメータが異なるＳＲ周期を有しても良い。
【００８７】
具体的には、異なる搬送波に、同一のＳＲ  ｃｏｎｆｉｇｕｒａｔｉｏｎをそれぞれ構成し、例えば、｛ＳＲ−ＣＯＮＦＩＧ−１、ＳＲ−ＣＯＮＦＩＧ−２｝という合計が２つのＳＲ  ｃｏｎｆｉｇｕｒａｔｉｏｎがある。
【００８８】
例えば、ＳＲ−ＣＯＮＦＩＧ−１に対応するＰＵＣＣＨリソースがそれぞれＣａｒｒｉｅｒ１及びＣａｒｒｉｅｒ２に位置し、ＳＲ−ＣＯＮＦＩＧ−２に対応するＰＵＣＣＨリソースがそれぞれＣａｒｒｉｅｒ１及びＣａｒｒｉｅｒ２に位置する。ＳＲ−ＣＯＮＦＩＧ−１及びＳＲ−ＣＯＮＦＩＧ−２が異なるＳＲ周期を有する。
【００８９】
それに応じて、
前記第二処理ユニットは、各々のロジックチャネルに対してネットワーク側により構成された一つのスケジューリング要求の構成パラメータを受信するように構成され、前記スケジューリング要求の構成パラメータに少なくとも１つの搬送波に対する物理上り制御チャンネルリソースが含まれる。
【００９０】
ネットワークがロジックチャネルとＳＲ  ｃｏｎｆｉｇｕｒａｔｉｏｎとのマッピングを構成し、上記の異なるＳＲ  ｃｏｎｆｉｇｕｒａｔｉｏｎと搬送波とのマッピング関係に基づき、それぞれ下記のようなロジックチャネルとＳＲ  ｃｏｎｆｉｇｕｒａｔｉｏｎとのマッピング関係を有しても良い。ネットワークが、各々のロジックチャネルに対して１つのＳＲ  ｃｏｎｆｉｇｕｒａｔｉｏｎをマッピングし、１つのＳＲ  ｃｏｎｆｉｇｕｒａｔｉｏｎが２つの搬送波のＰＵＣＣＨリソースを含み、表３が下記の通りである。
【表１２】
2020537374.tif 000014
【００９１】
上記の実施例に係るシーンでは、端末装置側において、さらにネットワーク側により構成された状況に基づき、スケジューリング要求（ＳＲ）の報告を行う。どの方式を用いるかにかかわらず、端末装置がＳＲの報告を行う時に以下の方式を用いて処理する。
【００９２】
前記端末装置はさらに、
スケジューリング要求の報告を行う時、スケジューリング要求の報告をトリガーするロジックチャネルを取得し、前記ロジックチャネルに対応する少なくとも１つのスケジューリング要求の構成パラメータを取得し、前記少なくとも１つのスケジューリング要求の構成パラメータに対応する物理上り制御チャンネルリソースに基づき、スケジューリング要求の報告をトリガーする時点に最も近い物理上り制御チャンネルリソースを選択し、選択された前記物理上り制御チャンネルリソースにおいて前記スケジューリング要求を伝送するように構成ッされる伝送ユニット４３を含む。
【００９３】
具体的には、
端末がＳＲの報告をトリガーするロジックチャネルに基づき、対応するＳＲ−ｃｏｎｆｉｇｕｒａｔｉｏｎを選択し、例えば、ＬＣＨ１がＳＲの報告をトリガーすると、以下のように選択する。
【００９４】
方式１に対して、ＳＲ−ＣＯＮＦＩＧ−１−Ａ、ＳＲ−ＣＯＮＦＩＧ−２−Ａに対応するＳＲの報告を選択してもよく、
方式２に対して、ＳＲ−ＣＯＮＦＩＧ−１に対応するＳＲの報告を選択してもよい。
【００９５】
２つの方法に対して、端末装置はいずれも現在ＳＲの報告をトリガーする時点に最も近いＰＵＣＣＨリソースを選択してＳＲを伝送する。
【００９６】
よって、上記の考案によって、ネットワークが端末装置のために構成した異なる搬送波に対応するスケジューリング要求の構成パラメータ、及びスケジューリング要求の構成パラメータとロジックチャネルとの間にマッピング関係を受信することができる。すると、端末装置がロジックチャネル、搬送波及びスケジューリング要求の構成パラメータの間の対応関係を取得することを保証することができ、それにより、スケジューリング要求を行う時に、対応するリソースをタイムリーに確定することを保証することができ、それによりシステムの処理効率を高める。
【００９７】
図５に示すように、更に、本発明の実施例に係るネットワーク装置のハードウェア構成アーキテクチャであって、少なくとも１つのプロセッサ５１、記憶装置５２、少なくとも１つのネットワークインターフェース５３を含む。各ユニットがバスシステム５４によってカップリングされる。バスシステム５４がこれらのユニットの間の接続通信を実現することに用いられると理解できる。バスシステム５４はデータバスに加え、電源バス、制御バス及びステータス信号バスを含む。しかしながら、明らかに説明するために、図５において、各種バスをバスシステム５４にマークする。
【００９８】
本発明の実施例における記憶装置５２は揮発性メモリ又は不揮発性メモリであってもよく、又は、揮発性メモリ及び不揮発性メモリ両者を含んでもよい。
【００９９】
いくつかの実施形態では、記憶装置５２に、モジュール又はデータ構造、又はそれらのサブセット、又はそれらの拡張セットを実行できる以下の元素が記憶される。
【０１００】
オペレーティングシステム５２１及びアプリケーションプログラム５２２。
【０１０１】
前記プロセッサ５１は、端末装置に、少なくとも１つの搬送波内の各々の搬送波にそれぞれ対応するスケジューリング要求の構成パラメータを構成し、同一搬送波に少なくとも１つのスケジューリング要求の構成パラメータが構成され、
端末装置に、少なくとも１つのロジックチャネル内の個々ロジックチャネルと少なくとも１つのスケジューリング要求の構成パラメータとの間のマッピング関係を構成するように構成される。
【０１０２】
具体的には、端末装置は上記の実施例１の方法ステップを処理でき、ここで詳細な説明は省略する。
【０１０３】
本発明の実施例における端末装置は、プロセッサ及びプロセッサにおいて実行できるコンピュータプログラムを記憶するための記憶装置を含み、
前記プロセッサが前記コンピュータプログラムを実行する時、上記の実施例２の方法ステップを実行するように構成され、ここで詳細な説明は省略する。
【０１０４】
本発明の実施例に係るコンピュータ記憶媒体であって、前記コンピュータ記憶媒体に、実行される時に上記の実施例１または２の方法ステップを実施するコンピュータ実行可能な命令が記憶される。
【０１０５】
本発明の実施例の上記装置はソフトウェア機能ユニットの形式で実現され、且つ独立した製品として販売又は使用されるとき、１つのコンピュータ可読記憶媒体に記憶されてもよい。このような理解に基づき、本発明の技術案の本質又は従来技術に貢献する部分、ソフトウェア製品の形式で具現されてもよく、該コンピュータソフトウェア製品は、１台のコンピュータ装置（パーソナルコンピュータ、サーバ又はネットワーク機器等であってもよい）に本発明の各実施例における該方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、磁気ディスク又は光ディスク等のプログラムコードを記憶できる様々な媒体を含む。このように、本発明の実施例は任意の特定のハードウェアとソフトウェアの組み合わせに制限されない。
【０１０６】
それに応じて、本発明の実施例は更に、本発明の実施例のデータスケジューリング方法を実行するように構成されるコンピュータプログラムが記憶されるコンピュータ記憶媒体を提供する
例示を目的として、既に本発明の好ましい実施例が開示され、当業者であれば、様々な、改良、追加及び置換も可能であると認識し、従って、本発明の範囲が上記の実施例に限定されるべきではない。
【図１】
2020537374.tif 000015
【図２】
2020537374.tif 000016
【図３】
2020537374.tif 000017
【図４】
2020537374.tif 000018
【図５】
2020537374.tif 000019
【手続補正書】
【提出日】令和2年8月17日(2020.8.17)
【手続補正１】
【補正対象書類名】特許請求の範囲
【補正対象項目名】全文
【補正方法】変更
【補正の内容】
【特許請求の範囲】
【請求項１】
ネットワーク装置に適用されるスケジューリング要求の構成方法であって、
端末装置に、少なくとも１つの搬送波内の各々の搬送波にそれぞれ対応するスケジューリング要求の構成パラメータを構成し、同一搬送波に少なくとも１つのスケジューリング要求の構成パラメータが構成されること、
端末装置に、少なくとも１つのロジックチャネル内の個々ロジックチャネルと少なくとも１つのスケジューリング要求の構成パラメータとの間のマッピング関係を構成することと、を含む前記スケジューリング要求の構成方法。
【請求項２】
前記した端末装置に、少なくとも１つの搬送波内の各々の搬送波にそれぞれ対応するスケジューリング要求の構成パラメータを構成することはさらに、
少なくとも１つの搬送波内の異なる搬送波に、同一のスケジューリング要求の構成パラメータを構成することを含むことを特徴とする
請求項１に記載の方法。
【請求項３】
前記した端末装置に、少なくとも１つのロジックチャネル内の個々ロジックチャネルと少なくとも１つのスケジューリング要求の構成パラメータとの間のマッピング関係を構成することはさらに、
各々のロジックチャネルに対して、１つのスケジューリング要求の構成パラメータをマッピングし、前記スケジューリング要求の構成パラメータに少なくとも１つの搬送波に対する物理上り制御チャンネルリソースが含まれることを含むことを特徴とする
請求項２に記載の方法。
【請求項４】
端末装置に適用されるスケジューリング要求の構成方法であって、
ネットワーク側により構成され少なくとも１つの搬送波内の各々の搬送波にそれぞれ対応するスケジューリング要求の構成パラメータを受信し、同一搬送波に少なくとも１つのスケジューリング要求の構成パラメータが構成されることと、
ネットワーク側により構成された少なくとも１つのロジックチャネル内の個々ロジックチャネルと少なくとも１つのスケジューリング要求の構成パラメータとの間のマッピング関係を受信することと、を含む前記スケジューリング要求の構成方法。
【請求項５】
前記方法はさらに、
端末装置がスケジューリング要求の報告を行う時、スケジューリング要求の報告をトリガーするロジックチャネルを取得することと、
前記ロジックチャネルに対応する少なくとも１つのスケジューリング要求の構成パラメータを取得することと、
前記少なくとも１つのスケジューリング要求の構成パラメータに対応する物理上り制御チャンネルリソースに基づき、スケジューリング要求の報告をトリガーする時点に最も近い物理上り制御チャンネルリソースを選択し、選択された前記物理上り制御チャンネルリソースにおいて前記スケジューリング要求を伝送することと、含むことを特徴とする
請求項４に記載の方法。
【請求項６】
前記したネットワーク側により構成され少なくとも１つの搬送波内の各々の搬送波にそれぞれ対応するスケジューリング要求の構成パラメータを受信することはさらに、
異なる搬送波に対してネットワーク側により構成された、異なるスケジューリング要求の構成パラメータであって、異なる搬送波に対して構成された、同一のスケジューリング要求構成周期を有する異なるスケジューリング要求の構成パラメータを受信することを含むことを特徴とする
請求項４または５に記載の方法。
【請求項７】
前記したネットワーク側により構成された少なくとも１つのロジックチャネル内の個々ロジックチャネルと少なくとも１つのスケジューリング要求の構成パラメータとの間のマッピング関係を受信することはさらに、
ネットワーク側により構成された、各々の前記ロジックチャネルと、異なる搬送波に対応するスケジューリング要求の構成パラメータとの間のマッピング関係を受信することを含み、
各々のロジックチャネル及び異なる搬送波が、同一のスケジューリング要求構成周期を有するスケジューリング要求の構成パラメータがマッピング関係を有することを特徴とする
請求項６に記載の方法。
【請求項８】
ネットワーク装置であって、
端末装置に、少なくとも１つの搬送波内の各々の搬送波にそれぞれ対応するスケジューリング要求の構成パラメータを構成することに用いられ、同一搬送波に少なくとも１つのスケジューリング要求の構成パラメータが構成される第一構成ユニットと、
端末装置に、少なくとも１つのロジックチャネル内の個々ロジックチャネルと少なくとも１つのスケジューリング要求の構成パラメータとの間のマッピング関係を構成するための第二構成ユニットと、を含む前記ネットワーク装置。
【請求項９】
前記第一構成ユニットは、異なる搬送波に、異なるスケジューリング要求の構成パラメータを構成し、且つ異なる搬送波に、同一のスケジューリング要求構成周期の異なるスケジューリング要求の構成パラメータを構成するように構成されることを特徴とする
請求項８に記載のネットワーク装置。
【請求項１０】
前記第二構成ユニットは、各々のロジックチャネルに対して、異なる搬送波に対応するスケジューリング要求の構成パラメータを選択し、各々の前記ロジックチャネルと、選択された前記異なる搬送波に対応するスケジューリング要求の構成パラメータとの間のマッピング関係を作成するように構成されることを特徴とする
請求項９に記載のネットワーク装置。
【請求項１１】
前記第二構成ユニットは、前記各々のロジックチャネルに対して、異なる搬送波のうちの、同一のスケジューリング要求構成周期を有するスケジューリング要求の構成パラメータを選択するように構成されることを特徴とする
請求項１０に記載のネットワーク装置。
【請求項１２】
端末装置であって、
ネットワーク側により構成され少なくとも１つの搬送波内の各々の搬送波にそれぞれ対応するスケジューリング要求の構成パラメータを受信することに用いられ、同一搬送波に少なくとも１つのスケジューリング要求の構成パラメータが構成される第一処理ユニットと、
ネットワーク側により構成された少なくとも１つのロジックチャネル内の個々ロジックチャネルと少なくとも１つのスケジューリング要求の構成パラメータとの間のマッピング関係を受信するための第二処理ユニットと、を含む前記端末装置。
【請求項１３】
前記端末装置はさらに、
スケジューリング要求の報告を行う時、スケジューリング要求の報告をトリガーするロジックチャネルを取得し、前記ロジックチャネルに対応する少なくとも１つのスケジューリング要求の構成パラメータを取得し、前記少なくとも１つのスケジューリング要求の構成パラメータに対応する物理上り制御チャンネルリソースに基づき、スケジューリング要求の報告をトリガーする時点に最も近い物理上り制御チャンネルリソースを選択し、選択された前記物理上り制御チャンネルリソースにおいて前記スケジューリング要求を伝送するための伝送ユニットを含むことを特徴とする
請求項１２に記載の端末装置。
【請求項１４】
前記第一処理ユニットは、少なくとも１つの搬送波内の異なる搬送波に対してネットワーク側により構成された同一のスケジューリング要求の構成パラメータを受信するように構成されることを特徴とする
請求項１２または１３に記載の端末装置。
【請求項１５】
前記第二処理ユニットは、各々のロジックチャネルに対してネットワーク側により構成された１つのスケジューリング要求の構成パラメータを受信するように構成され、前記スケジューリング要求の構成パラメータが、少なくとも１つの搬送波に対する物理上り制御チャンネルリソースが含むことを特徴とする
請求項１４に記載の端末装置。
【国際調査報告】
2020537374.tif 000020
2020537374.tif 000021
2020537374.tif 000022
2020537374.tif 000023